【手続補正書】
【提出日】平成16年4月12日(2004.4.12)
【手続補正１】
【補正対象書類名】明細書
【補正対象項目名】特許請求の範囲
【補正方法】変更
【補正の内容】
【特許請求の範囲】
【請求項１】
トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、
前記定着ウェブ供給手段を、前記定着ウェブ回収手段の上方に配置したことを特徴とする画像形成装置の定着装置。
【請求項２】
トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、
前記定着ウェブ供給手段を、前記定着ローラと前記定着ウェブ回収手段との間の上方に配置したことを特徴とする画像形成装置の定着装置。
【請求項３】
前記定着ウェブを前記定着ローラに加圧する加圧手段を備え、該加圧手段と前記定着ウェブ回収手段とを兼用とし、
前記定着ウェブ供給手段を、前記兼用とした手段の上方に配置したことを特徴とする請求項１記載の画像形成装置の定着装置。
【請求項４】
トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、
前記定着ウェブ供給手段の下方に配置されたオイル回収手段と、
このオイル回収手段に回収されたオイルを記録媒体に転移させるように動作するオイル転移手段と、
このオイル転移手段の動作を所定または任意のタイミングで実行させるように制御する制御手段と、
を具備したことを特徴とする画像形成装置の定着装置。
【請求項５】
定着ウェブ供給手段は、定着ウェブが巻回されたロール体であり、
当該定着ウェブを、前記ロール体の上部側から送り出すことを特徴とする請求項１乃至４の何れか一つに記載の画像形成装置の定着装置。
【請求項６】
オイル回収手段は、オイル吸収性を有する弾性発泡体であることを特徴とする請求項４または５記載の画像形成装置の定着装置。
【請求項７】
トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、
前記定着ウェブ供給手段と該定着ウェブ供給手段から引き出された定着ウェブとの間に形成される境界部を埋める境界部埋め部材を具備したことを特徴とする画像形成装置の定着装置。
【請求項８】
境界部埋め部材は、オイル吸収性を有する材質よりなることを特徴とする請求項７記載の画像形成装置の転写装置。
【請求項９】
境界部埋め部材は、定着ウェブ供給手段の下方まで延出するオイル受け形状を有していることを特徴とする請求項７記載の画像形成装置の定着装置。
【請求項１０】
境界部埋め部材は、可動であり、
当該境界部埋め部材を、定着ウェブの残りの量に応じて変化する境界部に追従して当該境界部を埋めるように変位させる追従変位手段を具備したことを特徴とする請求項７記載の画像形成装置の定着装置。
【手続補正２】
【補正対象書類名】明細書
【補正対象項目名】００１６
【補正方法】変更
【補正の内容】
【００１６】
【課題を解決するための手段】
上記目的を達成するために、請求項１の画像形成装置の定着装置は、トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、前記定着ウェブ供給手段を、前記定着ウェブ回収手段の上方に配置したことを特徴としている。
上記目的を達成するために、請求項２の画像形成装置の定着装置は、トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、前記定着ウェブ供給手段を、前記定着ローラと前記定着ウェブ回収手段との間の上方に配置したことを特徴としている。
【手続補正３】
【補正対象書類名】明細書
【補正対象項目名】００１７
【補正方法】変更
【補正の内容】
【００１７】
このような請求項１または請求項２における画像形成装置の定着装置によれば、定着ウェブ供給手段から滴下する廃オイル（余剰オイル）は、当該定着ウェブ供給手段の下方に配置され、定着ローラのクリーニングによりオイルの含浸量が半減された定着ウェブ回収手段または当該定着ウェブ回収手段へと向かう使用済みの定着ウェブに再吸収される。従って、上記廃オイルに対するメンテナンス作業が不要にされると共に、従来技術で必要であったオイルパンが不要にされる。


【手続補正４】
【補正対象書類名】明細書
【補正対象項目名】００１８
【補正方法】変更
【補正の内容】
【００１８】
上記目的を達成するために、請求項３の画像形成装置の定着装置は、請求項１に加えて、前記定着ウェブを前記定着ローラに加圧する加圧手段を備え、該加圧手段と前記定着ウェブ回収手段とを兼用とし、前記定着ウェブ供給手段を、前記兼用とした手段の上方に配置したことを特徴としている。


【手続補正５】
【補正対象書類名】明細書
【補正対象項目名】００１９
【補正方法】変更
【補正の内容】
【００１９】
このような請求項３における画像形成装置の定着装置によれば、定着ウェブ供給手段から滴下する廃オイルは、当該定着ウェブ供給手段の下方に配置され、定着ローラのクリーニングによりオイルの含浸量が半減された定着ウェブ回収手段に再吸収されるが、この時当該定着ウェブ回収手段は、上記クリーニングのために定着ウェブを定着ローラに圧接させる加圧手段も兼用しているため、部品点数がさらに減少される。


【手続補正６】
【補正対象書類名】明細書
【補正対象項目名】００２０
【補正方法】変更
【補正の内容】
【００２０】
上記目的を達成するために、請求項４の画像形成装置の定着装置は、トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、前記定着ウェブ供給手段の下方に配置されたオイル回収手段と、このオイル回収手段に回収されたオイルを記録媒体に転移させるように動作するオイル転移手段と、このオイル転移手段の動作を所定または任意のタイミングで実行させるように制御する制御手段と、を具備したことを特徴としている。


【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】変更
【補正の内容】
【００２４】
このような請求項４乃至６における画像形成装置の定着装置によれば、定着ウェブ供給手段の廃オイルは、自然滴下またはオイル回収手段のオイル回収動作（請求項４）により、当該定着ウェブ供給手段の下方に配置されたオイル回収手段に回収され、このオイル回収手段に回収されたオイルは、制御手段によってその動作を所定または任意のタイミングで実行するように制御されるオイル転移手段の当該動作に従って、記録媒体に転移される。従って、上記廃オイルに対するメンテナンス作業が不要にされる。


【手続補正９】
【補正対象書類名】明細書
【補正対象項目名】００２６
【補正方法】変更
【補正の内容】
【００２６】
上記目的を達成するために、請求項７の画像形成装置の定着装置は、トナー像が転写された記録媒体を挟持・搬送しながら前記トナー像を前記記録媒体に定着させる定着ローラ及び加圧ローラと、前記定着ローラの表面をクリーニングする定着ウェブを送り出す定着ウェブ供給手段と、前記定着ローラの表面をクリーニングした後の定着ウェブを回収する定着ウェブ回収手段と、を備えた画像形成装置の定着装置において、前記定着ウェブ供給手段と該定着ウェブ供給手段から引き出された定着ウェブとの間に形成される境界部を埋める境界部埋め部材を具備した。


【手続補正１０】
【補正対象書類名】明細書
【補正対象項目名】００２７
【補正方法】変更
【補正の内容】
【００２７】
このような請求項７における画像形成装置の定着装置によれば、境界部埋め部材によって、定着ウェブ供給手段と該定着ウェブ供給から引き出された定着ウェブとの間に形成される境界部が埋められるため、引き出される定着ウェブから定着ウェブ供給手段へのオイル移行が遮られる。従って、定着ウェブ供給手段からの廃オイルに対するメンテナンス作業が不要にされる。


【手続補正１１】
【補正対象書類名】明細書
【補正対象項目名】００３０
【補正方法】変更
【補正の内容】
【００３０】
上記目的を達成するために、請求項９の画像形成装置の定着装置は、請求項７に加えて、境界部埋め部材は、定着ウェブ供給手段の下方まで延出するオイル受け形状を有していることを特徴としている。


【手続補正１２】
【補正対象書類名】明細書
【補正対象項目名】００３１
【補正方法】変更
【補正の内容】
【００３１】
このような請求項９における画像形成装置の定着装置によれば、境界部埋め部材が、定着ウェブ供給手段の下方まで延出するオイル受け形状を有しているため、定着ウェブ供給手段からのオイル滴下の畏れが大きい場合でも、この滴下するオイルが当該延出部に受けられるようになる。


【手続補正１３】
【補正対象書類名】明細書
【補正対象項目名】００３２
【補正方法】変更
【補正の内容】
【００３２】
上記目的を達成するために、請求項１０の画像形成装置の定着装置は、請求項７に加えて、境界部埋め部材は、可動であり、当該境界部埋め部材を、定着ウェブの残りの量に応じて変化する境界部に追従して当該境界部を埋めるように変位させる追従変位手段を具備したことを特徴としている。


【手続補正１４】
【補正対象書類名】明細書
【補正対象項目名】００３３
【補正方法】変更
【補正の内容】
【００３３】
このような請求項１０における画像形成装置の定着装置によれば、追従変位手段によって、境界部埋め部材が、定着ウェブの残りの量に応じて変化する境界部に追従して当該境界部を埋めるように変位するため、当該境界部埋め部材により上記境界部が常時埋められる。


【手続補正１５】
【補正対象書類名】明細書
【補正対象項目名】００８７
【補正方法】変更
【補正の内容】
【００８７】
【発明の効果】
以上述べたように、請求項１または請求項２の画像形成装置の定着装置は、定着ウェブ供給手段から滴下する廃オイル（余剰オイル）を、当該定着ウェブ供給手段の下方に配置し、定着ローラのクリーニングによりオイルの含浸量が半減した定着ウェブ回収手段または当該定着ウェブ回収手段へと向かう使用済みの定着ウェブに再吸収し、上記廃オイルに対するメンテナンス作業を不要にすると共に、従来技術で必要であったオイルパンを不要にするように構成したものであるから、低コスト化を図りつつ使用性を向上することが可能となる。


【手続補正１６】
【補正対象書類名】明細書
【補正対象項目名】００８８
【補正方法】変更
【補正の内容】
【００８８】
また、請求項３の画像形成装置の定着装置は、請求項１に加えて、定着ウェブ供給手段から滴下する廃オイルを、当該定着ウェブ供給手段の下方に配置し、定着ローラのクリーニングによりオイルの含浸量が半減した定着ウェブ回収手段に再吸収する一方で、当該定着ウェブ回収手段が、上記クリーニングのために定着ウェブを定着ローラに圧接させる加圧手段も兼用し、部品点数をさらに減少し得るように構成したものであるから、より低コスト化を図りつつ使用性を向上することが可能となる。


【手続補正１７】
【補正対象書類名】明細書
【補正対象項目名】００８９
【補正方法】変更
【補正の内容】
【００８９】
また、請求項４乃至６の画像形成装置の定着装置は、定着ウェブ供給手段の廃オイルを、自然滴下またはオイル回収手段のオイル回収動作により、当該定着ウェブ供給手段の下方に配置したオイル回収手段に回収し、このオイル回収手段に回収したオイルを、制御手段によってその動作を所定または任意のタイミングで実行するように制御されるオイル転移手段の当該動作に従って、記録媒体に転移させ、上記廃オイルに対するメンテナンス作業を不要にするように構成したものであるから、使用性を向上することが可能となる。


【手続補正１８】
【補正対象書類名】明細書
【補正対象項目名】００９１
【補正方法】変更
【補正の内容】
【００９１】
また、請求項７の画像形成装置の定着装置は、境界部埋め部材によって、定着ウェブ供給手段と該定着ウェブ供給手段から引き出された定着ウェブとの間に形成される境界部を埋め、引き出される定着ウェブから定着ウェブ供給手段イル移行を遮り、定着ウェブ供給手段からの廃オイルに対するメンテナンス作業を不要にするように構成したものであるから、使用性を向上することが可能となる。


【手続補正１９】
【補正対象書類名】明細書
【補正対象項目名】００９３
【補正方法】変更
【補正の内容】
【００９３】
また、請求項９の画像形成装置の定着装置は、請求項７に加えて、境界部埋め部材を、定着ウェブ供給手段の下方まで延出するオイル受け形状を有する構成とし、定着ウェブ供給手段からのオイル滴下の畏れが大きい場合でも、この滴下するオイルを当該延出部で受け得るように構成したものであるから、請求項７の効果を一層高めることが可能となる。


【手続補正２０】
【補正対象書類名】明細書
【補正対象項目名】００９４
【補正方法】変更
【補正の内容】
【００９４】
また、請求項１０の画像形成装置の定着装置は、請求項７に加えて、追従変位手段によって、境界部埋め部材を、定着ウェブの残りの量に応じて変化する境界部に追従して当該境界部を埋めるように変位させ、当該境界部埋め部材により上記境界部を常時埋め得るように構成したものであるから、請求項７の効果を常時得ることが可能となる。